(57)【要約】【課題】  主走査１ライン間に１ライン分の画像データを各発光素子アレイユニットにデータ処理しながら、点灯時間を可変制御させて、発光素子アレイを駆動させることにより、１ライン間幅に対し印字密度が増減可能になり、１ドット印字率を改善させた画像書込装置を提供する。【解決手段】  データ処理を蓄積回路アドレス０からの８画素を例に説明する。蓄積回路から読み出された画像データ８画素は、（１）の転送では、偶数データに注目し、８画素から偶数データのみ選択し、４ｂｉｔ単位でＬＥＤヘッドへ転送する。これは、１画素変換はせず、８画素から４画素データ選択したのみで、データ処理なしに値する。次に（２）の転送では、奇数データに注目し、データが“０”であればそのまま“０”を転送する。データが“１”の場合、前の画素データが、“１”であれば、そのまま“１”を転送する。しかし、前の画素データが“０”であれば、“０”にして転送する。【選択図】  図５
2006218830.tif 000002
【特許請求の範囲】
【請求項１】
２値の画像デ−タに応じて発光制御される複数個の発光素子が一方向に列設された発光素子アレイと、当該発光素子アレイの発光光を感光体に結像させる結像手段を備えた複数の発光素子アレイユニットと、
１ライン分の画像デ−タを前記発光素子アレイユニット毎に分割して各発光素子アレイユニットに転送して当該発光素子アレイユニットの各発光素子を駆動させて主走査する画像デ−タ転送制御手段と、を備えた画像書込装置において、
前記複数の発光素子アレイユニットが、前記感光体の軸線方向を主走査方向として副走査方向に所定量ずれて、主走査方向で所定量重なる状態で千鳥状に配列され、
前記画像デ−タ転送制御手段が、主走査１ライン間に１ライン分の画像デ−タを前記各発光素子アレイユニットにデ−タ処理しながら、複数回転送制御し、かつ点灯時間を可変制御させて、前記発光素子アレイを駆動させることを特徴とするデジタル発光素子書込み装置。
【請求項２】
前記画像データ転送制御手段による画像デ−タの転送は、発光素子アレイユニットの偶数画素デ−タを転送後、奇数画素デ−タを転送し、この動作を複数回繰り返し、点灯時間はデ−タ回数分点灯することを特徴とする請求項１記載のデジタル発光素子書込み装置。
【請求項３】
前記点灯時間は、コピアモ−ドでの点灯時間からの比率より算出時間を制御することを特徴とする請求項２記載のデジタル発光素子書込み装置。
。
【請求項４】
前記画像データ転送制御手段によるデ−タ処理を、主走査方向でのパタ−ン認識し、２値画像である１ｄｏｔ孤立点“１”を認識するとデ−タ処理なしの時では、そのまま“１”を転送し、デ−タ処理有りの時では、“１”を“０”にして転送制御し、点灯時間は、デ−タ処理なしの時が点灯比率を高くし点灯時間を長くすることをすることを特徴とする請求項１、請求項２または請求項３記載のデジタル発光素子書込み装置。
【請求項５】
前記画像データ転送制御手段によるデ−タ処理は、最初の画像デ−タ転送と最後の画像デ−タ転送時は処理せず、中の画像転送をデ−タ処理制御することを特徴とする請求項１、請求項２、請求項３または請求項４記載のデジタル発光素子書込み装置。
【請求項６】
コピアモ−ド、プリンタモ−ドなどの出力モードに応じて、前記画像データ転送制御手段によるデ−タの処理を切り替え、コピアモ−ドでは、デ−タ転送を１回のみで変換制御せず、プリンタモ−ドではデ−タ転送を２回してデ−タ処理制御し、点灯時間も、デ−タ転送に追従して点灯することを特徴とする請求項１、請求項２、請求項３、請求項４または請求項５記載のデジタル発光素子書込み装置。
【発明の詳細な説明】
【技術分野】
【０００１】
本発明は、プリンタ、デジタル複写機、複合機等の画像形成装置で用いるＬＥＤアレイ等の発光素子アレイを用いた画像書込装置に関する。
【背景技術】
【０００２】
感光体に光を照射して潜像を書き込む画像書込装置に、レーザー光によるＬＤ走査方式やＬＥＤ発光素子をアレイ状にした発光素子アレイを用いた方式が利用されている。この発光素子アレイ方式では、２値の画像を画像形成装置より出力すると、プロセス条件により、１ドットの印字が横太りの楕円系に印字される。これが、１ドットの格子画像（５ｍｍ間隔の画像）だとより鮮明に現れてきて、縦線が横線よりも太く印字されて縦横比が問題になっていた。
この縦横比の問題を解決するために、ＬＥＤのバランス補正データを利用して制御している方式がある。多値データでの対応としては、ＬＥＤ毎の階調データと複数のＬＥＤからなるブロックの単位で出力バラツキを補正するデータと、ブロックの平均値に対する出力バラツキを補正するデータとを加算し、加算したデータによりＬＥＤのバラツキを抑えている。
２値での方式としては、２値の画像のデータとＬＥＤ個々の補正データを加算させ階調を忠実に再現する制御があるが、ドットの印字パワー（印字駆動電流制御）を調整しているので、線画の向上ではあるが、縦横線幅の改善には至っていないのが実情であった。
また、ＬＥＤ発光素子アレイによっては、補正データと印字画像データを加算する方式でないものもある。
【特許文献１】特願２００３−４１２０６５
【発明の開示】
【発明が解決しようとする課題】
【０００３】
ここで、特許文献１記載の技術では、点灯回数を数回行って制御しているが、画像データを偶数画素データ転送後、奇数画素データ転送を行う発光素子アレイユニットにおいて一度の画像転送で各２回ずつの点灯としている。
また、他の方法である画像データを１ライン間で数回転送して点灯信号を制御する方式では、１ライン間で１ラインデータを数回転送し点灯信号を制御して印字している。これにより、斜め線の線画を忠実に印字することができ、かつ印字画像の縦横比改善にはなったが、横線を太くしての比率改善であった。
さらに、他の技術である画像データを１ライン間で数回転送し、主走査方向の１ｄｏｔ孤立点を認識しデータ処理制御する方式では、データ転送を数回（２回）行い、２回目のデータ転送時、主走査方向でパターン認識し、１ｄｏｔ孤立点であれば、データを“１”から”０”に処理し、縦線幅を細くして、縦横線幅の改善をしている。
【０００４】
ところで、データ転送とデータ処理、そして点灯時間を制御し、縦線幅を細く、横線幅をはっきりさせ、より正確には縦横幅の比率を改善させると、性能の向上した画像書込装置を得ることができる。（画像密度が６００ｄｐｉであれば４２．３３ｕのドット径であり、プロセス条件、定着性より多少ドット径は大きくなるが、なるべく６００ｄｐｉのドット径に近づけなければならない。）
【０００５】
そこで、本発明の第１の目的は、画像データ転送制御手段が、主走査１ライン間に１ライン分の画像データを各発光素子アレイユニットにデータ処理しながら、数回転送制御し、かつ点灯時間を可変制御させて、発光素子アレイを駆動させることにより、１ライン間幅に対し印字密度が増減可能になり、１ドット印字率を改善させた画像書込装置を提供することである。
本発明の第２の目的は、画像データの転送は、発光素子アレイユニットの偶数画素データを転送後、奇数画素データを転送してその動作を数回繰り返し、点灯時間はデータ回数分点灯することにより、１ライン間の線画を忠実に再現することをができる画像書込装置を提供することである。
本発明の第３の目的は、点灯時間は、コピアモードでの点灯時間からの比率より算出時間を制御することにより、コピア画像の濃度と同等の画像濃度を維持できる画像書込装置を提供することである。
【０００６】
本発明の第４の目的は、ドット径を細くすることにより、１ドットの縦・横の比率を改善した画像書込装置を提供することである。
本発明の第５の目的は、データ処理は、最初の画像データ転送と最後の画像データ転送時は処理せず、中の画像転送をデータ処理制御することにより、１ライン内でのエッジ濃度をあげることでより横線幅を強調させることができ、１ドットの縦・横の比率を改善した画像書込装置を提供することである。
本発明の第６の目的は、出力モード（コピアモード、プリンタモード）により画像データの処理を切り替え、コピアモードでは、データ転送を１回のみで変換制御せず、プリンタモードではデータ転送を２回してデータ処理制御し、点灯時間も、データ転送に追従して点灯することにより、１ライン間の線画を忠実に再現することができる画像書込装置を提供することである。
【課題を解決するための手段】
【０００７】
請求項１記載の発明では、２値の画像デ−タに応じて発光制御される複数個の発光素子が一方向に列設された発光素子アレイと、当該発光素子アレイの発光光を感光体に結像させる結像手段を備えた複数の発光素子アレイユニットと、１ライン分の画像デ−タを前記発光素子アレイユニット毎に分割して各発光素子アレイユニットに転送して当該発光素子アレイユニットの各発光素子を駆動させて主走査する画像デ−タ転送制御手段と、を備えた画像書込装置において、前記複数の発光素子アレイユニットが、前記感光体の軸線方向を主走査方向として副走査方向に所定量ずれて、主走査方向で所定量重なる状態で千鳥状に配列され、前記画像デ−タ転送制御手段が、主走査１ライン間に１ライン分の画像デ−タを前記各発光素子アレイユニットにデ−タ処理しながら、複数回転送制御し、かつ点灯時間を可変制御させて、前記発光素子アレイを駆動させることにより、前記第１の目的を達成する。
請求項２記載の発明では、請求項１記載のデジタル発光素子書込み装置において、前記画像データ転送制御手段による画像デ−タの転送は、発光素子アレイユニットの偶数画素デ−タを転送後、奇数画素デ−タを転送し、この動作を複数回繰り返し、点灯時間はデ−タ回数分点灯することにより、前記第２の目的を達成する。
【０００８】
請求項３記載の発明では、請求項２記載のデジタル発光素子書込み装置において、前記点灯時間は、コピアモ−ドでの点灯時間からの比率より算出時間を制御することにより、前記第３の目的を達成する。
請求項４記載の発明では、請求項１、請求項２または請求項３記載のデジタル発光素子書込み装置において、前記画像データ転送制御手段によるデ−タ処理を、主走査方向でのパタ−ン認識し、２値画像である１ｄｏｔ孤立点“１”を認識するとデ−タ処理なしの時では、そのまま“１”を転送し、デ−タ処理有りの時では、“１”を“０”にして転送制御し、点灯時間は、デ−タ処理なしの時が点灯比率を高くし点灯時間を長くすることをすることにより、前記第４の目的を達成する。
【０００９】
請求項５記載の発明では、請求項１、請求項２、請求項３または請求項４記載のデジタル発光素子書込み装置において、前記画像データ転送制御手段によるデ−タ処理は、最初の画像デ−タ転送と最後の画像デ−タ転送時は処理せず、中の画像転送をデ−タ処理制御することにより、前記第５の目的を達成する。
請求項６記載の発明では、請求項１、請求項２、請求項３、請求項４または請求項５記載のデジタル発光素子書込み装置において、コピアモ−ド、プリンタモ−ドなどの出力モードに応じて、前記画像データ転送制御手段によるデ−タの処理を切り替え、コピアモ−ドでは、デ−タ転送を１回のみで変換制御せず、プリンタモ−ドではデ−タ転送を２回してデ−タ処理制御し、点灯時間も、デ−タ転送に追従して点灯することにより、前記第６の目的を達成する。
【発明の効果】
【００１０】
請求項１記載の発明では、画像データ転送制御手段が、主走査１ライン間に１ライン分の画像データを各発光素子アレイユニットにデータ処理しながら、数回転送制御し、かつ点灯時間を可変制御させて、発光素子アレイを駆動させているので、１ライン間幅に対し印字密度が増減可能になり、１ドット印字率を改善することができる。
請求項２記載の発明では、画像データの転送は、発光素子アレイユニットの偶数画素データを転送後、奇数画素データを転送してその動作を数回繰り返し、点灯時間はデータ回数分点灯させているので、１ライン間の線画を忠実に再現することができる。
請求項３記載の発明では、点灯時間は、コピアモードでの点灯時間からの比率より算出時間を制御させているので、コピア画像の濃度と同等の画像濃度を維持することができる。
【００１１】
請求項４記載の発明では、データ処理を  主走査方向でのパターン認識し、２値画像である１ｄｏｔ孤立点“１”を認識するとデータ処理なしの時では、そのまま“１”を転送し、データ処理有りの時では、“１”を“０”にして転送制御し、点灯時間は、データ処理なしの時が点灯比率を高くし点灯時間を長くさせているので、ドット径を細くすることができ１ドットの縦・横の比率を改善することができる。
請求項５記載の発明では、データ処理は、最初の画像データ転送と最後の画像データ転送時は処理せず、中の画像転送をデータ処理制御させているので、１ライン内でのエッジ濃度をあげることで、より横線幅を強調させることができ１ドットの縦・横の比率を改善することができる。
請求項６記載の発明では、出力モード（コピアモード、プリンタモード）により画像データの処理を切り替え、コピアモードでは、データ転送を１回のみで変換制御せず、プリンタモードではデータ転送を２回してデータ処理制御し、点灯時間も、データ転送に追従して点灯させているので、１ライン間の線画を忠実に再現することができる。
【発明を実施するための最良の形態】
【００１２】
以下、本発明の好適な実施の形態を図１ないし図６を参照して詳細に説明する。
図１は、本実施例に係る複写機の概要を示したブロック図である。この複写機は、原稿を読み取る読取手段としての読取部１００、読み取られた原稿情報を記憶する記憶手段としての画像情報記憶部３００、記憶された情報を転写紙に複写するための書込部５００、また一連のプロセスを実行制御するシステム制御装置３０２、このシステム制御装置にキー入力を行う操作手段としての操作部４００等で構成されている。
【００１３】
次に、図１および図２を参照して読取部１００の構成を説明する。図２は、本実施例に係る複写機の構成を示した側面図である。
まず、オペレータが原稿を挿入口から挿入すると、原稿は、ローラ１の回転に応じて密着センサ２と白色ローラ３間を搬送される。搬送中の原稿には、密着センサ２に取り付いているＬＥＤにより照射され、その反射光は密着センサ２に結像され、原稿画像情報が読み取られる。
図１のセンサ１０１上に結像した原稿画像は電気信号に変換され、このアナログ信号は、画像増幅回路１０２で増幅される。Ａ／Ｄ（アナログ／デジタル）変換回路１０３は、画像増幅回路１０２で増幅されたアナログ画像信号を画素毎の多値デジタル画像信号に変換する。
【００１４】
そして、変換されたデジタル画像信号は、同期制御回路１０６から出力されるクロックに同期して出力されシェーデング補正回路１０４により、光量ムラ、コンタクトガラスの汚れ、センサの感度ムラ等による歪を補正する。この補正されたデジタル画像情報は、画像処理回路１０５でデジタル記録画像情報に変換された後、画像メモリ部３０１に書き込まれる。
【００１５】
次に、画像メモリ部３０１に書き込まれた画像信号が転写紙に形成するための一連のプロセスを制御しているシステム制御装置３０２と書込部５００の構成について説明する。システム制御装置３０２は、全体制御を行う機能があり、読取制御回路１０７、同期制御回路１０６、画像メモリ部３０１、ＬＥＤ書込制御回路５０２での画像データ転送と駆動制御回路５０４によりスキャナ駆動装置１０８、プリンタ駆動装置５０５を介してモータ等を駆動させ読み取り原稿及び転写紙の搬送を円滑に制御している。
書込部５００では、画像メモリ部３０１より同期信号クロックにより転送された画像信号をＬＥＤ書込制御回路５０２で１画素単位ビット変換し、ＬＰＨ５０３で赤外光に変換出力される。
【００１６】
続いて、図２の参照して記録紙にいたるまでのプロセスを説明する。
帯電装置４は、感光体ドラム５を−１２００Ｖに一様に帯電させるグリッド付きのスコロトロンチャージャと呼ばれるものである。発光素子アレイユニット（ＬＥＤヘッド）６は、ＬＥＤをアレー状に並べ、ＳＬＡ（セルフォックレンズアレー）を介して感光体ドラム５に照射される。発光素子アレイユニット６のＬＥＤヘッドは、図１のＬＰＨ５０３に相当する。
感光体ドラム５にデジタル画像情報に基づいたＬＥＤ光が照射されると、光導電現象で感光体表面の電荷が感光体ドラム５のアースに流れて消滅する。ここで原稿濃度の淡い部分は、ＬＥＤを発光させないようにし、原稿濃度の濃い部分は、ＬＥＤを発光させる。これにより感光体ドラム５のＬＥＤ光非照射部は画像の濃淡に対応した静電潜像が形成される。
【００１７】
この静電潜像を現像ユニット７によって現像する。現像ユニット７内のトナーは、撹拌により負に帯電されておりバイアスは−７００Ｖに印加されているため、ＬＥＤ光照射部分だけにトナーが付着する。
一方転写紙は、３つの給紙台及び手差しから選択し、レジストローラ８で所定のタイミングで感光体ドラム５の下部を通過し、この時に転写チャージャ９によりトナー像を記録紙上に転写させる。記録紙は次に感光体ドラム５より分離チャージャ１０により分離されて搬送タンク１１により搬送されて定着ユニット１２に送られる。そして、そこでトナーが記録紙に定着される。トナーが定着された記録紙は排紙トレイ１４または１３により機外の前後に送られ排紙される。
【００１８】
次に、画像メモリ部３０１から書込部５００への画像信号の流れを説明する。
画像信号の流れは、画像メモリ部３０１から偶数画素（ＥＶＥＮ）、奇数画素（ＯＤＤ）の２値画像データが同時に転送速度１６ＭＨｚでＬＥＤ書込制御回路５０２に送られてくる。２画素パラレルで送られてきた画像信号は、ＬＥＤ書込制御回路５０２内部で一旦、１ラインに合成した後、３分割に割り当て、ＬＥＤヘッド５０３＿１、５０３＿２、５０３＿３へ４画素同時に転送される。
【００１９】
次に、図３を参照してＬＥＤ書込制御回路５０２の各ブロックの説明を行う。
まず、画像データ入力部５１２について説明する。２値画像信号、即ち偶数画素（ＥＶＥＮ）、奇数画素（ＯＤＤ）及びタイミング信号は、画像メモリ部３０１より低電圧作動信号素子ＬＶＤＳレシーバを使用しパラレルからシリアルに変換され、ＬＥＤ書込制御回路５０２に１６ＭＨｚで送られてくる。このＬＥＤ書込制御回路５０２でもＬＶＤＳレシーバを使用し、シリアル信号からパラレル信号に変換し、ＰＫＤＥ・ＰＫＤＯ・ＣＬＫＡ・ＬＳＹＮＣ＿Ｎ・ＬＧＡＴＥ＿Ｎ・ＦＧＡＴＥＩＰＵ＿Ｎとして、ＩＣ５１０に入力する。
【００２０】
次に、画像データＲＡＭ部１・５１４Ａ＿１〜５１４Ａ＿３、５１４Ｂ＿１〜５１４Ｂ＿３について説明する。
ＩＣ５１０に入力された偶数画素（ＥＶＥＮ）、奇数画素（ＯＤＤ）の画像信号は、４画素単位にし、ＳＲＡＭＤＩ［３：０］として、ＳＲＡＭアドレス信号ＡＤＲＡ［１０：０］及びＡＤＲＢ［１０：０］により、Ａ群ＳＲＡＭ３個（５１４Ａ＿１〜５１４Ａ＿３）、Ｂ群ＳＲＡＭ３個（５１４Ｂ＿１〜５１４Ｂ＿３）に転送速度８ＭＨｚで格納される。
５０１＿１〜５０３＿３は、総ｄｏｔ数２３０４０ｄｏｔ（Ａ３幅７６８０ｄｏｔ×３本）で画像信号転送が３分割方式のため、主走査１ライン分の画像信号をＡ群のＳＲＡＭ１・５１４Ａ＿１にＬＥＤヘッド１・５０３＿１の画像信号を、ＳＲＡＭ２・５１４Ａ＿２にＬＥＤヘッド２・５０３＿２の画像信号を、ＳＲＡＭ３・５１４Ａ＿３にＬＥＤヘッド３・５０３＿３の画像信号を格納する。
【００２１】
８ＭＨｚでＡ群ＳＲＡＭ３個（５１４Ａ＿１〜５１４Ａ＿３）に順次格納された画像信号は、次の２ライン目に４ＭＨｚでＡ群ＳＲＡＭ３個（５１４Ａ＿１〜５１４Ａ＿３）から同時に読み出され、再びＩＣ５１０へ入力され、画像信号を４画素から８画素単位に変換して、画像遅延メモリ部のフィールドメモリ５１５＿１〜５１５＿３に転送速度２ＭＨｚで送られる。このとき、ＬＥＤヘッド１・５０３＿１は遅延動作しない。
ＬＥＤヘッド２・５０３＿２の画像信号はフィールドメモリ５１５＿１へ、ＬＥＤヘッド３・５０３＿３はフィールドメモリ５１５＿３へ転送される。１ライン目のＳＲＡＭからの読出制御を行っている間に、次のラインをＢ群のＳＲＡＭ５１４Ｂ＿１〜５１４Ｂ＿３の３個にＡ群と同様に画像信号を格納する。
このリード・ライト動作をＡ郡ＳＲＡＭ３個（５１４Ａ＿１〜５１４Ａ＿３）、Ｂ郡ＳＲＡＭ３個（５１４Ｂ＿１〜５１４Ｂ＿３）をトグル動作させることによりライン間の繋ぎを行う。
【００２２】
次に、画像データ遅延部５１５＿１〜５１５＿３について説明する。
（１）ＬＥＤヘッド２・  ５０３＿２の画像信号遅延部５１５＿１，５１５＿２、Ａ３幅ＬＥＤヘッド５１５＿１〜５１５＿３の３本を千鳥配置しているため、ＬＥＤヘッド１・５０３＿１を基準とし、ＬＥＤヘッド２・５０３＿２はメカレイアウト上、副走査方向に１７．５ｍｍずらして取り付けている。
このため、Ａ郡ＳＲＡＭ３個（５１４Ａ＿１〜５１４Ａ＿３）、Ｂ郡ＳＲＡＭ３個（５１４Ｂ＿１〜５１４Ｂ＿３）から出力された画像信号を同時に処理し、ＬＥＤヘッド２・５０３＿２へ転送すると、ＬＥＤヘッド１・５０３＿１に対してＬＥＤヘッド２・５０３＿２は、副走査方向に１７．５ｍｍ（１７．５ｍｍ／４２．３μｍ（６００ｄｐｉの１ｄｏｔ）＝４１６ライン）ずれて印字してしまう。
【００２３】
このメカ的なずれを補正するため、４ＭＨｚでＡ群ＳＲＡＭ２・５１４Ａ＿２、Ｂ群ＳＲＡＭ２・５１４Ｂ＿２から出力されたＬＥＤヘッド２・５０３＿２の画像信号を８画素単位としてフィールドメモリ５１５＿１に転送ライン順に２ＭＨｚで１８０ライン（固定）書き込む。次に、書き込まれた順に２ＭＨｚでフィールドメモリ５１５＿１より画像信号を読み出すと同時に、カスケード接続されたフィールドメモリ５１５＿２に２３６ライン（可変）書き込む。
【００２４】
次に、書き込まれた順に２ＭＨｚでフィールドメモリ５１５＿２より画像信号を読み出し、Ｌ２ＤＦＭＯ［７：０］として、再びＩＣ５１０へ入力する。これによりＬＥＤヘッド２・５０３＿２の画像信号は、４１６ライン遅延されたことになる。遅延させるライン数はＬＥＤヘッド２・５０３＿２の部品制度、組付のバラツキにより個々に異なるため、１ライン（４２．３ｕｍ）単位での制御が可能である。
【００２５】
（２）ＬＥＤヘッド３・５０３＿３画像データ遅延部
Ａ３幅ＬＥＤヘッド（５０３＿１〜５０３＿３）３本を千鳥配置しているため、ＬＥＤヘッド１・５０３＿１を基準とし、ＬＥＤヘッド３・５０３＿３はメカレイアウト上、副走査方向に０．５ｍｍずらして取り付けている。
このため、Ａ郡ＳＲＡＭ３個５１４Ａ＿１〜５１４Ａ＿３、Ｂ郡ＳＲＡＭ３個（５１４Ｂ＿１〜５１４Ｂ＿３）から出力された画像信号を同時に処理し、ＬＥＤヘッド３・５０３＿３へ転送するとＬＥＤヘッド１・５０３＿１に対してＬＥＤヘッド３・５０３＿３は、副走査方向に０．５ｍｍ（０．５ｍｍ／４２．３μｍ（６００ｄｐｉに１ｄｏｔ）＝１２ライン）ずれて印字してしまう。
【００２６】
このメカ的なずれを補正するため、４ＭＨｚでＡ群ＳＲＡＭ３・５１４Ａ＿３、Ｂ群ＳＲＡＭ３・５１４Ｂ＿３から出力されたＬＥＤヘッド３・５０３＿３の画像信号を８画素単位としてフィールドメモリ５１５＿３に転送ライン順に２ＭＨｚで１２ライン書き込む。
次に、書き込まれた順に２ＭＨｚでフィールドメモリ５１５＿３より画像信号を読み出し、Ｌ３ＤＦＭＯ［７：０］として再びＩＣ５１０へ入力する。これにより、ＬＥＤヘッド３・５０３＿３の画像信号は１２ライン遅延されたことになる。
遅延させるライン数はＬＥＤヘッド３・５０３＿３の部品制度、組付のバラツキにより個々に異なるため、１ライン（４２．３ｕｍ）単位での制御が可能である。
【００２７】
次に、画像データＲＡＭ部２・５５０Ａ＿１〜３、５５０Ｂ＿１〜３について説明する。
画像データＲＡＭ部１からのＬＥＤヘッド１の画像データＬ１ＤＩ［７：０］と画像データ遅延部からのＬＥＤヘッド２、３の画像データＬ２ＤＦＭＯ［７：０］、Ｌ３ＤＦＭＯ［７：０］は、ＩＣ５１０を介して画像データＲＡＭ部２のＳＲＡＭ郡５５０Ａ＿１〜３へそれぞれ２ＭＨｚの転送速度で格納される。
格納された画像データは、次のライン間に８ＭＨｚの転送速度で４回読み出される。アドレスはＬＥＤヘッド７６８０ｄｏｔであり８画素単位なので９６０アドレス分となる。この９６０アドレスを４回繰り返す。８画素単位で読み出された画像データは、ＩＣ５１０内で４画素単位にデータ変換され、画像データ出力部５１９に転送される。
また、ＳＲＡＭ群５５０Ａ＿１〜３で読み出されている間、ＳＲＡＭ群５５０Ｂ＿１〜３では次のラインデータを書き込み、交互にラインの書込み、読出しが行われる。
【００２８】
続いて、画像データ出力部５１９について説明する。
画像データＲＡＭ部２で処理されたＬＥＤヘッド１〜３の４ビット単位の画像データは、ＬＰＨ制御信号とともに出力され、ドライバを介し、各ＬＥＤヘッド５０３＿１〜５０３＿３に８ＭＨｚのスピードで転送される（Ｌ１〜Ｌ３ＣＬＫは４ＭＨｚの立ち上がり、立下りエッジでデータ確定される）。
【００２９】
次に、光量補正ＲＡＭ部５１６について説明する。
ＬＥＤヘッド５０３＿１〜５０３＿３には各ＬＥＤ素子の光量バラツキを補正するためにＬＥＤ素子毎の補正データ及びＬＥＤアレイチップごとの補正データを各ＬＥＤヘッド内に光量補正ＲＯＭを搭載している。
電源投入時、ＩＣ５１０のＣＰＬＤ制御によりまずＬＥＤヘッド５０３＿１の光量補正データを読出し、シリアル／パラレル変換し、８ビット単位の補正データＨＯＳＥＩＤ［７：０］としてアドレスにより光量補正ＲＡＭ部５１６に格納する。全ての補正データを格納後、今度は、光量補正データＳＲＡＭから読出し、再びＬＥＤヘッド５０３＿１へ転送させる。この動作をＬＥＤヘッド２，３と順におこなう。
転送した光量補正データは、ＬＥＤヘッド５０３＿１〜５０３＿３の電源をＯＦＦしない限り、ＬＥＤヘッド５０３＿１〜５０３＿３内部にて補正データが保持される構成となっている。
【００３０】
次に、システム制御装置３０２について説明する。
ＬＥＤ書込制御回路５０２への書き込み条件設定は、システム制御装置３０２からの制御信号入力データバスＬＤＡＴＡ［７：０］、アドレスバスＬＡＤＲ［５：０］、ラッチ信号ＶＤＢＣＳ、Ｐセンサパターン信号ＳＧＡＴＥ＿ＮをＩＣ５１０に入力することにより、制御される。
【００３１】
以上説明した機械全体構成、ＬＥＤ書込制御回路５０２により構成される本実施例の具体的なＬＥＤヘッドへの画像データの転送制御と点灯時間、更に印字ドット径と画像について以下に記載する。
まず、ＬＥＤヘッドへのデータ転送方式について説明する。
図４より、ＬＥＤヘッドへのデータ転送についてのタイミングを説明する。ＲＬＳＹＮＣは、主走査１ライン間隔でありこの間で一連の処理を行う。クロックの立ち上がり、立下りエッジにより、画像データを転送する。
また、ＤＡＴＡは４画素単位の画像データである。転送画像データは、まずＬＥＤヘッド７６８０画素分（３８４０画素＊２）の（１）偶数画素データ：ＥＶＥＮ  ＤＡＴＡを転送する。
画素数は、ＬＥＤヘッド全画素７６８０ｄｏｔの半分の３８４０ｄｏｔで４ｄｏｔ同時転送なので、３８４０／４＝９６０カウント分となる。転送後、ＬＯＡＤ信号によりデータをラッチさせる。
【００３２】
次に、（２）奇数画素データ：ＯＤＤ  ＤＡＴＡを転送し、再びＬＯＡＤ信号にてラッチさせる。再度、（３）偶数データ、（４）奇数データ転送しラッチ、印字とデータ転送を２回繰り返す。
点灯信号：ＳＴＲＢは、ＬＯＷアクティブであり、（１）の偶数画素データの印字は、（２）の奇数画素データ転送時にＬＯＷ５にしてＬＥＤ発光し、（２）の奇数画素データの印字では、（３）の偶数画素データ転送時にＬＯＷ６にしてＬＥＤ発光させる。
【００３３】
再度、（３）の偶数画素データに印字は、（４）の奇数画素データ転送時にＬＯＷ７にして印字させ、（４）の奇数画素データの印字はその後ＬＯＷ８にしてＬＥＤ発光させる。このとき、ＳＴＲＢ信号はＬＯＷでＬＥＤ発光であり、ＬＯＷの期間を制御することによって画像印字時間を調整、ドットパワーを制御でき画像濃度を均一にできる。
画像濃度はプロセス条件等により規制されていて、機械条件としては、主走査１ライン間隔の１０％前後のＳＴＲＢ点灯・印字が適性である。１０％とは、コピー線速と画素密度との関係より、計算すると主走査間隔７０５．６ｕｓｅｃであり、その１０％であると７０．５６ｕｓｅｃ点灯期間となる。
【００３４】
また、データ処理は、図５にて蓄積回路（ＳＲＡＭ）アドレス０からの８画素を例に説明する。蓄積回路から読み出された画像データ８画素は、（１）の転送では、偶数データに注目し、８画素から偶数データのみ選択し、４ｂｉｔ単位でＬＥＤヘッドへ転送する。これは、１画素変換はせず、８画素から４画素データ選択したのみで、データ処理なしに値する。
【００３５】
次に（２）の転送では、奇数データに注目し、データが“０”であればそのまま“０”を転送する。データが“１”の場合、前の画素（偶数画素）データが、“１”であれば、そのまま“１”を転送する。しかし、前の画素データが“０”であるならば、データを“０”にして転送する。
図よりアドレス０は、黒丸を“１”とし、白丸を“０”として８画素データを並び替えると、●○○●○●●○→１００１０１１０となる。
そこで、パターン認識にてデータ処理を実施するので、１００１０１１０→０００００１１０となる。ここから、奇数データの４画素分００１０を選択しＬＥＤヘッドに転送する。この制御をデータ処理有りに値する。
【００３６】
更に（３）のデータ転送も（２）同様、データ処理有りとし、１００１０１１０→０００００１１０の偶数画素データを選択し４画素分０００１をＬＥＤヘッドに転送する。（４）の転送では、奇数画素データに着目し、データ変換は（１）同様データ処理なしで、１００１０１１０データの奇数画素データのみ選択し０１１０をＬＥＤヘッドに転送する。上記のように、画像データを（１）→（２）→（３）→（４）と転送し、データ処理制御をし、点灯信号ＳＴＲＢを次のデータ転送期間で実施し、ｄｕｔｙ幅（ＬＯＷ期間）を可変制御できるようにするこれが、第１および第２の実施例である。
【００３７】
次に、第３の実施例では、ｄｕｔｙ幅を比率制御することで、画像濃度を忠実に表現できる。これは、後述する第６の実施例に関連するが、コピアモードでは、データ転送を１回で、点灯信号を１回ずつの制御、つまり、図４のデータ転送（１）→（２）とＳＴＲＢ５，６で５，６は１０％印字をする。
本件では、データ転送２回（（１）（２）で１回目、（３）（４）で２回目）となりＳＴＲＢ信号も５，７でｄｕｔｙ１０％、６，８でｄｕｔｙ１０％とする。この１０％を比率制御で３：１に分配して転送させる。よって、７．５％と２．５％となる。
【００３８】
第４の実施例では、ＳＴＲＢ信号の比率とデータ処理の有無とを関連づけている。データ処理なしでＳＴＲＢは比率３すなわち７．５％を点灯させ、データ処理有りでＳＴＲＢ信号は比率１の２．５％を点灯させる。よって、図４の５は７．５％、６は２．５％、７は２．５％、８は７．５％のＳＴＲＢ信号となる。
この制御により、１ｄｏｔ孤立点の点灯を１０％から７．５％にできドットパワーを抑制でき縦線を細くすることができる。
【００３９】
第５の実施例では、まさに図４の転送方式であり、データ処理なしが（１）、（４）でＳＴＲＢが７．５％（比率３）、中の（２）、（３）はデータ処理有りでＳＴＲＢが２．５％（比率１）として、端部のデータと点灯時間を長くすることでエッジ効果があり１ライン間すなわち横幅線を強調することができる。
【００４０】
第６の実施例では、出力するモード、すなわち：コピアモードとプリンタモードに切り分け可能にすることで、コピアモードでの画像処理での画像とプリンタモードでのデータ処理での階調性、線画を忠実に再現できる。本制御はプリンタモードでの制御となる。
【００４１】
図６にて、１ドット十字の印字ドット径と画像について説明する。
まず偶数画素データ９をｄｕｔｙ７．５％印字し、次に奇数データ１０を２．５％で印字する。２．５％なのでドットパワーは小さい。次に再び偶数画素データ１１をｄｕｔｙ２．５％で印字する。
１ｄｏｔ孤立点をパターン認識した場合は、隣の画素と比較し、データ“１”→“０”となれば印字はしない。最後に奇数画素データ１２をｄｕｔｙ７．５％で印字する。よって、ドット径は縦線では、データ処理制御によりｄｕｔｙ７．５％のみ印字し、横線では、ｄｕｔｙ２．５％＋７．５％の１０％印字となり、かつエッジ効果で濃度が強調されることになる。上記の印字形式により、画像の縦線幅１３と横線幅１４の比率が改善される。
【図面の簡単な説明】
【００４２】
【図１】本発明の一実施例となる複写機の概要を示した図である。
【図２】本発明の一実施例となる複写機のプロセスを示した図である。
【図３】ＬＥＤ書込制御回路５０２の各ブロックを説明した図である。
【図４】ＬＥＤヘッドへのデータ転送を示した図である。
【図５】データ処理の方法を示した図である。
【図６】ドット径と画像を示した図である。
【符号の説明】
【００４３】
１００    原稿読取部
１０１    センサ
１０２    画像増幅回路
１０３    Ａ／Ｄ変換回路
１０４    シェーデング補正回路
１０５    画像処理回路
１０６    同期制御回路
１０７    読取制御回路
１０８    スキャナ駆動装置
３００    画像情報記憶部
３０１    画像メモリ部
３０２    システム制御装置
４００    操作部
５００    書込部
５０２    ＬＥＤ書込制御回路
５０３  １〜３    ＬＰＨ
５０４    駆動制御回路
５０５    プリンタ駆動装置
【図１】
2006218830.tif 000003
【図２】
2006218830.tif 000004
【図３】
2006218830.tif 000005
【図４】
2006218830.tif 000006
【図５】
2006218830.tif 000007
【図６】
2006218830.tif 000008